【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
ネットワーク通信機器を構成する方法であって、
ネットワーク内を伝送するデータ・パケットを監視して、静的に構成されたネットワーク機器を検出する、監視ステップと、
前記静的に構成されたネットワーク機器を前記ネットワーク通信機器に接続するために、前記静的に構成されたネットワーク機器に関連するネットワーク・パラメータに前記ネットワーク通信機器内のネットワーク・インターフェースを適応させる、適応化ステップと、を含む、前記方法。
【請求項２】
前記監視ステップが、
前記静的に構成されたネットワーク機器に関連するアドレス解決プロトコル（ＡＲＰ）パケットを検出するステップと、
前記静的に構成されたネットワーク機器に関連する同報通信パケットを検出するステップのうち少なくとも１つを含む、請求項１に記載の方法。
【請求項３】
前記適応ステップが、
前記静的に構成されたネットワーク機器に関するインターネット・プロトコル（ＩＰ）アドレスおよび媒体アクセス制御（ＭＡＣ）アドレスを決定するステップと、
決定された前記インターネット・プロトコル・アドレスおよび媒体アクセス制御アドレスを、前記ネットワーク内で使用中のインターネット・プロトコル・アドレスおよび媒体アクセス制御アドレスのリストと比較するステップとを含む、請求項１に記載の方法。
【請求項４】
前記適応ステップが、
前記静的に構成されたネットワーク機器に関する前記インターネット・プロトコル・アドレスおよび前記媒体アクセス制御アドレスを、ルータ内の経路指定表に追加するステップを含む、請求項３に記載の方法。
【請求項５】
前記適応ステップが、
前記静的に構成されたネットワーク機器を走査して、追加のネットワーク・パラメータを決定する、走査ステップを含む、請求項４に記載の方法。
【請求項６】
前記走査ステップが、
前記静的に構成されたネットワーク機器に、インターネット制御メッセージ・プロトコル（ＩＣＭＰ）アドレス・マスク要求を送信するステップを含む、請求項５に記載の方法。
【請求項７】
ネットワーク通信機器であって、
ネットワーク・パラメータおよび命令を記憶するメモリと、
プロセッサとを備え、
前記プロセッサは、前記命令を実行したことに応答して、
ネットワーク内を伝送するデータ・パケットを監視して、静的に構成されたネットワーク機器を検出し、
前記静的に構成されたネットワーク機器を前記ネットワーク通信機器に接続するために、前記静的に構成されたネットワーク機器に関連するネットワーク・パラメータに前記ネットワーク通信機器内のネットワーク・インターフェースを適応させるように構成される、前記ネットワーク通信機器。
【請求項８】
前記プロセッサが、
前記静的に構成されたネットワーク機器に関連するアドレス解決プロトコル（ＡＲＰ）パケットを検出し、
前記静的に構成されたネットワーク機器に関連する同報通信パケットを検出することのうち少なくとも１つを実行するように構成される、請求項７に記載のネットワーク通信機器。
【請求項９】
前記プロセッサが、
前記静的に構成されたネットワーク機器に関するインターネット・プロトコル（ＩＰ）アドレスおよび媒体アクセス制御（ＭＡＣ）アドレスを決定し、
決定された前記インターネット・プロトコル・アドレスおよび媒体アクセス制御アドレスを、前記ネットワーク内で使用中のインターネット・プロトコル・アドレスおよび媒体アクセス制御アドレスのリストと比較するように構成される、請求項７に記載のネットワーク通信機器。
【請求項１０】
前記プロセッサが、
前記静的に構成されたネットワーク機器に関する前記インターネット・プロトコル・アドレスおよび前記媒体アクセス制御アドレスを、前記ネットワーク通信機器内の経路指定表に追加するように構成される、請求項９に記載のネットワーク通信機器。
【請求項１１】
前記プロセッサが、
前記静的に構成されたネットワーク機器を走査して、追加のネットワーク・パラメータを決定するように構成される、請求項１０に記載のネットワーク通信機器。
【請求項１２】
前記プロセッサが、
前記静的に構成されたネットワーク機器に、インターネット制御メッセージ・プロトコル（ＩＣＭＰ）アドレス・マスク要求を送信するように構成される、請求項１１に記載のネットワーク通信機器。
【請求項１３】
一連の命令を記憶するコンピュータ読み取り可能な媒体であって、プロセッサにより前記一連の命令が実行されると、前記プロセッサは、ネットワーク通信機器を構成する方法を実行し、
前記方法が、
ネットワーク内を伝送するデータ・パケットを監視して、静的に構成されたネットワーク機器を検出する、監視ステップと、
前記静的に構成されたネットワーク機器をネットワーク通信機器に接続するために、前記静的に構成されたネットワーク機器に関連するネットワーク・パラメータに前記ネットワーク通信機器内のネットワーク・インターフェースを適応させる、適応化ステップとを含む、コンピュータ読み取り可能な媒体。
【請求項１４】
前記監視ステップが、
前記静的に構成されたネットワーク機器に関連するアドレス解決プロトコル（ＡＲＰ）パケットを検出するステップと、
前記静的に構成されたネットワーク機器に関連する同報通信パケットを検出するステップのうち少なくとも１つを含む、請求項１３に記載のコンピュータ読み取り可能な媒体。
【請求項１５】
前記適応化ステップが、
前記静的に構成されたネットワーク機器に関するＩＰ（インターネット・プロトコル）アドレスおよび媒体アクセス制御（ＭＡＣ）アドレスを決定するステップと、
決定された前記インターネット・プロトコル・アドレスおよび媒体アクセス制御アドレスを、前記ネットワーク内で使用中のインターネット・プロトコル・アドレスおよび媒体アクセス制御アドレスのリストと比較するステップとを含む、請求項１３に記載のコンピュータ読み取り可能な媒体。
【請求項１６】
前記適応化ステップが、
前記静的に構成されたネットワーク機器に関する前記インターネット・プロトコル・アドレスおよび前記媒体アクセス制御アドレスを、前記ルータ内の経路指定表に追加するステップを含む、請求項１５に記載のコンピュータ読み取り可能な媒体。
【請求項１７】
前記適応化ステップが、
前記静的に構成されたネットワーク機器を走査して、追加のネットワーク・パラメータを決定する、走査ステップを含む、請求項１６に記載のコンピュータ読み取り可能な媒体。
【請求項１８】
前記走査ステップが、
前記静的に構成されたネットワーク機器に、インターネット制御メッセージ・プロトコル（ＩＣＭＰ）アドレス・マスク要求を送信するステップを含む、請求項１７に記載のコンピュータ読み取り可能な媒体。
【請求項１９】
ネットワーク通信機器を構成する装置であって、
ネットワーク内を伝送するデータ・パケットを監視して、静的に構成されたネットワーク機器を検出する手段と、
前記静的に構成されたネットワーク機器を前記ネットワーク通信機器に接続するために、前記静的に構成されたネットワーク機器に関連するネットワーク・パラメータに前記ネットワーク通信機器内のネットワーク・インターフェースを適応化させる手段と、を備える、前記装置。
【手続補正２】
【補正対象書類名】明細書
【補正対象項目名】発明の名称
【補正方法】変更
【補正の内容】
【発明の名称】ネットワーク通信機器、ネットワーク通信機器を構成する方法および装置、並びにコンピュータ読み取り可能な媒体
【手続補正３】
【補正対象書類名】明細書
【補正対象項目名】０００７
【補正方法】変更
【補正の内容】
【０００７】
ただし、添付の図面は本発明の単なる典型的な実施形態を示すものであり、本発明は他の同様に有効な実施形態を許容することから、添付の図面を本発明の範囲を限定するものとみなすべきではないことに留意されたい。
特許請求の範囲と実施例との対応関係を実施例で使われている参照符号を用いて示すと以下の通りである。
（請求項１）
ネットワーク通信機器を構成する方法（３００）であって、
ネットワーク内を伝送するデータ・パケットを監視して、静的に構成されたネットワーク機器を検出する、監視ステップ（３０４）と、
前記静的に構成されたネットワーク機器を前記ネットワーク通信機器に接続するために、前記静的に構成されたネットワーク機器に関連するネットワーク・パラメータに前記ネットワーク通信機器内のネットワーク・インターフェースを適応させる、適応化ステップ（３１０）と、を含む、前記方法。
（請求項２）
前記監視ステップが、
前記静的に構成されたネットワーク機器に関連するアドレス解決プロトコル（ＡＲＰ）パケットを検出するステップ（４０２）と、
前記静的に構成されたネットワーク機器に関連する同報通信パケットを検出するステップ（４０２）のうち少なくとも１つを含む、請求項１に記載の方法。
（請求項３）
前記適応ステップが、
前記静的に構成されたネットワーク機器に関するインターネット・プロトコル（ＩＰ）アドレスおよび媒体アクセス制御（ＭＡＣ）アドレスを決定するステップ（４０４）と、
決定された前記インターネット・プロトコル・アドレスおよび媒体アクセス制御アドレスを、前記ネットワーク内で使用中のインターネット・プロトコル・アドレスおよび媒体アクセス制御アドレスのリストと比較するステップ（４０６）とを含む、請求項１に記載の方法。
（請求項４）
前記適応ステップが、
前記静的に構成されたネットワーク機器に関する前記インターネット・プロトコル・アドレスおよび前記媒体アクセス制御アドレスを、ルータ内の経路指定表に追加するステップ（４１４）を含む、請求項３に記載の方法。
（請求項５）
前記適応ステップが、
前記静的に構成されたネットワーク機器を走査して、追加のネットワーク・パラメータを決定する、走査ステップ（４１２）を含む、請求項４に記載の方法。
（請求項６）
前記走査ステップが、
前記静的に構成されたネットワーク機器に、インターネット制御メッセージ・プロトコル（ＩＣＭＰ）アドレス・マスク要求を送信するステップ（４１２）を含む、請求項５に記載の方法。
（請求項７）
ネットワーク通信機器（１０６）であって、
ネットワーク・パラメータおよび命令を記憶するメモリ（２２０）と、
プロセッサ（２３０）とを備え、
前記プロセッサ（２３０）は、前記命令を実行したことに応答して、
ネットワーク（１０３）内を伝送するデータ・パケットを監視して、静的に構成されたネットワーク機器（１０４）を検出し、
前記静的に構成されたネットワーク機器（１０４）を前記ネットワーク通信機器（１０６）に接続するために、前記静的に構成されたネットワーク機器（１０４）に関連するネットワーク・パラメータに前記ネットワーク通信機器（１０６）内のネットワーク・インターフェース（１０８）を適応させるように構成される、前記ネットワーク通信機器。
（請求項８）
前記プロセッサ（２３０）が、
前記静的に構成されたネットワーク機器（１０４）に関連するＡＲＰ（アドレス解決プロトコル）パケットを検出し、
前記静的に構成されたネットワーク機器（１０４）に関連する同報通信パケットを検出することのうち少なくとも１つを実行するように構成される、請求項７に記載のネットワーク通信機器。
（請求項９）
前記プロセッサ（２３０）が、
前記静的に構成されたネットワーク機器（１０４）に関するインターネット・プロトコル（ＩＰ）アドレスおよび媒体アクセス制御（ＭＡＣ）アドレスを決定し、
決定された前記インターネット・プロトコル・アドレスおよび媒体アクセス制御アドレスを、前記ネットワーク（１０３）内で使用中のインターネット・プロトコル・アドレスおよび媒体アクセス制御アドレスのリストと比較するように構成される、請求項７に記載のネットワーク通信機器。
（請求項１０）
前記プロセッサ（２３０）が、
前記静的に構成されたネットワーク機器（１０４）に関する前記インターネット・プロトコル・アドレスおよび前記媒体アクセス制御アドレスを、前記ネットワーク通信機器（１０６）内の経路指定表に追加するように構成される、請求項９に記載のネットワーク通信機器。
（請求項１１）
前記プロセッサ（２３０）が、
前記静的に構成されたネットワーク機器（１０４）を走査して、追加のネットワーク・パラメータを決定するように構成される、請求項１０に記載のネットワーク通信機器。
（請求項１２）
前記プロセッサ（２３０）が、
前記静的に構成されたネットワーク機器（１０４）に、インターネット制御メッセージ・プロトコル（ＩＣＭＰ）アドレス・マスク要求を送信するように構成される、請求項１１に記載のネットワーク通信機器。
（請求項１３）
一連の命令を記憶するコンピュータ読み取り可能な媒体であって、プロセッサにより前記一連の命令が実行されると、前記プロセッサは、ネットワーク通信機器を構成する方法を実行し、
前記方法が、
ネットワーク内を伝送するデータ・パケットを監視して、静的に構成されたネットワーク機器を検出する、監視ステップ（３０４）と、
前記静的に構成されたネットワーク機器をネットワーク通信機器に動作可能に接続するために、前記静的に構成されたネットワーク機器に関連するネットワーク・パラメータに前記ネットワーク通信機器内のネットワーク・インターフェースを適応させる、適応ステップ（３１０）とを含む、コンピュータ読み取り可能な媒体。
（請求項１４）
前記監視ステップが、
前記静的に構成されたネットワーク機器に関連するアドレス解決プロトコル（ＡＲＰ）パケットを検出するステップ（４０２）と、
前記静的に構成されたネットワーク機器に関連する同報通信パケットを検出するステップ（４０２）のうち少なくとも１つを含む、請求項１３に記載のコンピュータ読み取り可能な媒体。
（請求項１５）
前記適応化ステップが、
前記静的に構成されたネットワーク機器に関するインターネット・プロトコル（ＩＰ）アドレスおよび媒体アクセス制御（ＭＡＣ）アドレスを決定するステップ（４０４）と、
決定された前記インターネット・プロトコル・アドレスおよび媒体アクセス制御アドレスを、前記ネットワーク内で使用中のインターネット・プロトコル・アドレスおよび媒体アクセス制御アドレスのリストと比較するステップ（４０６）とを含む、請求項１３に記載のコンピュータ読み取り可能な媒体。
（請求項１６）
前記適応化ステップが、
前記静的に構成されたネットワーク機器に関する前記インターネット・プロトコル・アドレスおよび前記媒体アクセス制御アドレスを、前記ルータ内の経路指定表に追加するステップ（４１４）を含む、請求項１５に記載のコンピュータ読み取り可能な媒体。
（請求項１７）
前記適応化ステップが、
前記静的に構成されたネットワーク機器を走査して、追加のネットワーク・パラメータを決定する、走査ステップ（４１２）を含む、請求項１６に記載のコンピュータ読み取り可能な媒体。
（請求項１８）
前記走査ステップが、
前記静的に構成されたネットワーク機器に、インターネット制御メッセージ・プロトコル（ＩＣＭＰ）アドレス・マスク要求を送信するステップ（４１２）を含む、請求項１７に記載のコンピュータ読み取り可能な媒体。
（請求項１９）
ネットワーク通信機器を構成する装置であって、
ネットワーク内を伝送するデータ・パケットを監視して、静的に構成されたネットワーク機器を検出する手段（２３０）と、
前記静的に構成されたネットワーク機器を前記ネットワーク通信機器に接続するために、前記静的に構成されたネットワーク機器に関連するネットワーク・パラメータに前記ネットワーク通信機器内のネットワーク・インターフェースを適応化させる手段（２３０）と、を備える、前記装置。